【手続補正書】
【提出日】平成27年6月19日(2015.6.19)
【手続補正１】
【補正対象書類名】明細書
【補正対象項目名】発明の名称
【補正方法】変更
【補正の内容】
【発明の名称】画像処理装置とその処理方法及びプログラム。
【手続補正２】
【補正対象書類名】明細書
【補正対象項目名】００１２
【補正方法】変更
【補正の内容】
【００１２】
そこで、本発明は、メールの送信先のユーザがログインできない画像処理装置に電子ファイルが格納されて、ダウンロードできないことを防ぐ仕組みを提供することを目的とする。
【手続補正３】
【補正対象書類名】明細書
【補正対象項目名】００１３
【補正方法】変更
【補正の内容】
【００１３】
本発明の目的を達成するために、画像処理装置にログイン可能なユーザを示す画像処理装置情報を記憶する記憶装置と通信可能な電子ファイルを記憶する画像処理装置であって、電子ファイルを送信する送信先を取得する送信先取得手段と、前記送信先取得手段で取得した送信先のユーザが、情報処理装置から当該画像処理装置にログイン可能なユーザでない場合に、前記画像処理装置情報に基づき、当該画像処理装置にログイン可能でないユーザがログイン可能な他の画像処理装置に前記電子ファイルを送信する電子ファイル送信手段と、前記電子ファイル送信手段により送信され、前記他の画像処理装置に保存された前記電子ファイルをダウンロードさせるためのリンク情報を前記他の画像処理装置より取得する取得手段と、前記取得手段により取得したリンク情報が入力されたリンクメールを、当該画像処理装置にログイン可能でないユーザであって前記送信先取得手段で取得した送信先に対して送信するメール送信手段とを備えることを特徴とする。
【手続補正４】
【補正対象書類名】明細書
【補正対象項目名】００１４
【補正方法】変更
【補正の内容】
【００１４】
また、前記取得手段は、前記送信先取得手段で取得した送信先のユーザが、情報処理装置から当該画像処理装置にログイン可能なユーザである場合に、当該画像処理装置に保存された電子ファイルのリンク情報を取得し、前記送信先に従って、前記取得手段で取得したリンク情報が入力されたリンクメールを生成するメール生成手段を備えることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
前記電子ファイルの送信先と送信元を設定する送信設定手段と、前記送信設定手段で設定した送信先の情報と送信元の情報が一致するか否かを判定する送信判定手段と、前記送信判定手段で、送信先の情報と送信元の情報が一致すると判定した場合に、前記取得手段により、当該画像処理装置に保存された電子ファイルのリンク情報を取得することを特徴とする。
【手続補正７】
【補正対象書類名】明細書
【補正対象項目名】００１７
【補正方法】変更
【補正の内容】
【００１７】
前記送信判定手段で、送信先の情報と送信元の情報が一致しないと判定した場合に、前記送信先のユーザが、情報処理装置から当該画像処理装置にログイン可能なユーザか否かを判定する判定手段を更に備えることを特徴とする。
【手続補正８】
【補正対象書類名】明細書
【補正対象項目名】００１８
【補正方法】変更
【補正の内容】
【００１８】
前記記憶装置は認証サーバであって、前記送信先取得手段で取得した送信先のユーザが、情報処理装置から当該画像処理装置にログイン可能なユーザであるかを前記認証サーバに問い合わせることを特徴とする。
【手続補正９】
【補正対象書類名】明細書
【補正対象項目名】００２０
【補正方法】変更
【補正の内容】
【００２０】
本発明によれば、メールの送信先のユーザがログインできない画像処理装置に電子ファイルが格納されて、ダウンロードできないことを防ぐことが可能となる。
【手続補正１０】
【補正対象書類名】特許請求の範囲
【補正対象項目名】全文
【補正方法】変更
【補正の内容】
【特許請求の範囲】
【請求項１】
画像処理装置にログイン可能なユーザを示す画像処理装置情報を記憶する記憶装置と通信可能な電子ファイルを記憶する画像処理装置であって、
電子ファイルを送信する送信先を取得する送信先取得手段と、
前記送信先取得手段で取得した送信先のユーザが、情報処理装置から当該画像処理装置にログイン可能なユーザでない場合に、前記画像処理装置情報に基づき、当該画像処理装置にログイン可能でないユーザがログイン可能な他の画像処理装置に前記電子ファイルを送信する電子ファイル送信手段と、
前記電子ファイル送信手段により送信され、前記他の画像処理装置に保存された前記電子ファイルをダウンロードさせるためのリンク情報を前記他の画像処理装置より取得する取得手段と、
前記取得手段により取得したリンク情報が入力されたリンクメールを、当該画像処理装置にログイン可能でないユーザであって前記送信先取得手段で取得した送信先に対して送信するメール送信手段と
を備えることを特徴とする画像処理装置。
【請求項２】
前記取得手段は、前記送信先取得手段で取得した送信先のユーザが、情報処理装置から当該画像処理装置にログイン可能なユーザである場合に、当該画像処理装置に保存された電子ファイルのリンク情報を取得し、
前記送信先に従って、前記取得手段で取得したリンク情報が入力されたリンクメールを生成するメール生成手段を
更に備えることを特徴とする請求項１に記載の画像処理装置。
【請求項３】
前記電子ファイルの送信先と送信元を設定する送信設定手段と、
前記送信設定手段で設定した送信先の情報と送信元の情報が一致するか否かを判定する送信判定手段と、
前記送信判定手段で、送信先の情報と送信元の情報が一致すると判定した場合に、前記取得手段により、当該画像処理装置に保存された電子ファイルのリンク情報を取得することを特徴とする請求項１又は２に記載の像処理装置。
【請求項４】
前記送信判定手段で、送信先の情報と送信元の情報が一致しないと判定した場合に、前記送信先のユーザが、情報処理装置から当該画像処理装置にログイン可能なユーザか否かを判定する判定手段
を更に備えることを特徴とする請求項３に記載の画像処理装置。
【請求項５】
前記記憶装置は認証サーバであって、前記送信先取得手段で取得した送信先のユーザが、情報処理装置から当該画像処理装置にログイン可能なユーザであるかを前記認証サーバに問い合わせることを特徴とする請求項１乃至４のいずれか１項に記載の画像処理装置。
【請求項６】
前記電子ファイルは、紙文書をスキャンすることによって生成されるファイルであることを特徴とする請求項１乃至５のいずれか１項に記載の画像処理装置。
【請求項７】
画像処理装置にログイン可能なユーザを示す画像処理装置情報を記憶する記憶装置と通信可能な電子ファイルを記憶する画像処理装置の処理方法であって、
前記画像処理装置が、
電子ファイルを送信する送信先を取得する送信先取得ステップと、
前記送信先取得ステップで取得した送信先のユーザが、情報処理装置から当該画像処理装置にログイン可能なユーザでない場合に、前記画像処理装置情報に基づき、当該画像処理装置にログイン可能でないユーザがログイン可能な他の画像処理装置に前記電子ファイルを送信する電子ファイル送信ステップと、
前記電子ファイル送信ステップにより送信され、前記他の画像処理装置に保存された前記電子ファイルをダウンロードさせるためのリンク情報を前記他の画像処理装置より取得する取得ステップと、
前記取得ステップにより取得したリンク情報が入力されたリンクメールを、当該画像処理装置にログイン可能でないユーザであって前記送信先取得ステップで取得した送信先に対して送信するメール送信ステップと
を実行することを特徴とする処理方法。
【請求項８】
画像処理装置にログイン可能なユーザを示す画像処理装置情報を記憶する記憶装置と通信可能な電子ファイルを記憶する画像処理装置で実行可能なプログラムであって、
前記画像処理装置を、
電子ファイルを送信する送信先を取得する送信先取得手段と、
前記送信先取得手段で取得した送信先のユーザが、情報処理装置から当該画像処理装置にログイン可能なユーザでない場合に、前記画像処理装置情報に基づき、当該画像処理装置にログイン可能でないユーザがログイン可能な他の画像処理装置に前記電子ファイルを送信する電子ファイル送信手段と、
前記電子ファイル送信手段により送信され、前記他の画像処理装置に保存された前記電子ファイルをダウンロードさせるためのリンク情報を前記他の画像処理装置より取得する取得手段と、
前記取得手段により取得したリンク情報が入力されたリンクメールを、当該画像処理装置にログイン可能でないユーザであって前記送信先取得手段で取得した送信先に対して送信するメール送信手段と
して機能させることを特徴とするプログラム。